(57)【特許請求の範囲】
【請求項１】
中空円筒状の部材からなり、中心軸線回りに回転自在に支持され、遊技者が入り込むことが可能な筒体と、
前記筒体の外周面に当接して、前記筒体を回転自在に支持する複数の支持ローラと、
適宜設置面に設置され、前記支持ローラを回転自在に支持するローラ支持体と、
前記筒体の中心軸線方向両端部の外周面にそれぞれ当接して前記筒体を支持するように設けられた駆動ローラと、前記駆動ローラをその中心軸線回りに回転させる駆動モータとを備えた回転駆動機構とを備えることを特徴とする遊戯装置。
【請求項２】
前記筒体の中心軸線方向の両端部外周面にそれぞれ巻着された環状のラバーと、
前記ラバーに当接するように、前記各支持ローラが配設される請求項１に記載の遊戯装置。
【請求項３】
前記各支持ローラの上方に配設され、毛部分が前記筒体の外周面に当接するように設けられたブラシ体と、
前記ブラシ体を支持するブラシ支持体と、
少なくとも前記支持ローラ、ローラ支持体及び回転駆動機構を外方から覆うカバー体とを備える請求項１に記載の遊戯装置。
【請求項４】
前記カバー体は、可撓性を有する袋状且つ気密状の部材から構成され、内部に気体が充填される請求項３に記載の遊戯装置。
【請求項５】
前記カバー体は、可撓性を有する袋状の部材から構成され、
前記カバー体の内部に加圧した気体を供給する加圧気体供給手段を更に備える請求項３に記載の遊戯装置。
【請求項６】
前記回転駆動機構は、前記筒体を、前記中心軸線回りの正逆方向に往復回転させるように構成される請求項１に記載の遊戯装置。
【請求項７】
可撓性及び気密性を有する袋状且つチューブ状の部材から構成され、内部に気体が充填された複数のチューブ部材と、該チューブ部材を並列に連設させた状態で各チューブ部材に連結される帯状の部材とからなるカバー体を、前記筒体の前記中心軸線を挟んでその両側に、前記チューブ部材が前記中心軸線と平行になるようにそれぞれ配設し、少なくとも前記支持ローラ、ローラ支持体及び回転駆動機構を外方から覆うように、前記帯状部材の上端縁が前記筒体の外周面に固着され、下端縁が前記設置面に固着される請求項６に記載の遊戯装置。
【請求項８】
可撓性を有する袋状且つチューブ状の部材から構成され、内部に気体が充填された複数のチューブ部材と、該チューブ部材を並列に連設させた状態で各チューブ部材に連結される帯状の部材とからなるカバー体を、前記筒体の前記中心軸線を挟んでその両側に、前記チューブ部材が前記中心軸線と平行になるようにそれぞれ配設し、少なくとも前記支持ローラ、ローラ支持体及び回転駆動機構を外方から覆うように、前記帯状部材の上端縁が前記筒体の外周面に固着され、下端縁が前記設置面に固着されてなり、
更に、前記各チューブ部材の内部に加圧した気体を供給する加圧気体供給手段を備える請求項６に記載の遊戯装置。
【発明の詳細な説明】
【技術分野】
【０００１】
本発明は、いわゆる遊園地、スーパーマーケットやデーパートなどのショッピングセンタの他、各種集客施設内に設置可能な、主として幼児向けに開発された遊戯装置に関する。
【背景技術】
【０００２】
上述の幼児向けに開発された遊戯装置として、従来、例えば、特開平１０−３０９３７９号公報に開示されたものがある。【０００３】
この遊戯装置は、木馬状をした遊戯具本体を備え、当該本体に乗った遊戯者が体重を上下動させることで、遊戯装置全体が前進移動するというものであり、矩形状をした外殻に同じく矩形状をした内殻を４５°の変位を有する状態で内装させるとともに、外殻と内殻との隙間部分に円柱形の弾性部材を圧入することによって形成されるばね部材を、遊戯具本体の前後脚部の基端（上端）に設置し、一方向のみの回転を許容するローラを前後脚部の下端に設置した構成を備える。【０００４】
【特許文献１】特開平１０−３０９３７９号公報
【発明の開示】
【発明が解決しようとする課題】
【０００５】
ところで、上述したスーパーマーケットやデーパートなどのショッピングセンタでは、幼児を連れ添った家族客が多いが、買い物に殆ど興味のない幼児は、買い物中にむずかることが多い。このため、親たちは子供をあやしながら買い物をしなければならず、ゆったりとした買い物をすることができない。【０００６】
そこで、従来、上述した特開平１０−３０９３７９号公報に開示される幼児用の遊戯装置をショッピングセンタ内に設置して、幼児がこの遊戯装置で遊べるようするといったことが行われている。このようにすれば、幼児がむずかることもなく、この間、親たちは安心して買い物に集中することができ、ゆったりとした買い物を行うことができる。また、店側にとっても、集客力を増すことができて有益である。【０００７】
ところが、ショッピングセンタ内に遊戯装置を設置することで、上記のような利点があるものの、同じ遊戯装置を長い間同じ場所に設置したのでは、新鮮味がなくなり、利用者の方で飽きを生じて、集客力が低下することになる。【０００８】
このため、同一場所に設置する遊戯装置を絶えず新たなものに交換して集客力を維持し得るように、多種多様な遊戯装置の提供が求められている。【０００９】
本発明は、以上の実情に鑑みなされたものであって、構造が簡易でしかも安価であり、ショッピングセンタ等の各種集客施設内に設置可能な幼児用の遊戯装置の提供をその目的とする。
【課題を解決するための手段】
【００１０】
上記目的を達成するための本発明は、中空円筒状の部材からなり、中心軸線回りに回転自在に支持された筒体と、前記筒体の外周面に当接して、前記筒体を回転自在に支持する複数の支持ローラと、適宜設置面に設置され、前記支持ローラを回転自在に支持するローラ支持体とから構成した遊戯装置に係る。【００１１】
この遊戯装置では、中心軸線回りに回転自在に支持された筒体内に遊戯者が入り込み、筒体内でその内壁を伝い登るなどして体を移動させると、筒体内における遊戯者の重心位置が変化し、この重心位置の変化によって筒体が前記中心軸線回りに回転する。そして、遊戯者は、かかる筒体の回転によって自身回転したり揺動したりするといった遊戯を楽しむことができる。【００１２】
このように構成された遊戯装置は、構造が簡易でしかも安価であり、ショッピングセンタ等の各種集客施設内に設置可能である。【００１３】
しかしながら、そのままの構成では、筒体を支持する支持ローラと当該筒体との接触部に手などを挟まれて、遊戯者が怪我をするといった事故を引き起こすことが懸念される。特に、大勢が集まる場所では、このような事故が起こり易い。【００１４】
そこで、このような事故を未然に防止するには、前記各支持ローラの上方位置で、毛部分が前記筒体の外周面に当接するようにブラシ体を配設し、少なくとも前記支持ローラ及びローラ支持体をカバー体によって外方から覆うようにすると良い。尚、ブラシ体は、適宜構成のブラシ支持体によって支持される。【００１５】
斯くして、このようにすれば、ブラシ体及びカバー体によって、支持ローラ及びローラ支持体を覆い隠すことができるので、支持ローラと筒体との接触部に遊戯者の手などが侵入するのを防止することができ、上記のような事故が起きるのを防止することができる。【００１６】
前記カバー体は、どのような材質、構造のものでも良いが、可撓性を有する袋状且つ気密状の部材から構成され、内部に気体が充填されたものや、可撓性を有する袋状の部材から構成され、その内部に、加圧気体供給手段から加圧した気体が供給されるように構成されたものであるのが好ましい。このようにすれば、カバー体自体に弾力性が付与されるので、仮に、このカバー体に遊戯者が衝突することがあったとしても、当該遊戯者が怪我をすることはない。【００１７】
また、上記構成の遊戯装置は、前記筒体を前記中心軸線回りに回転させる回転駆動機構を備えた構成のものでも良く、更に、この回転駆動機構は、前記筒体を一方向に回転させるものでも、正逆方向に往復回転させるものでもどちらでも良い。このように回転駆動機構によって筒体を回転させるようにすれば、筒体内に入った遊戯者の動作にかかわらず当該筒体を回転させることができるので、自身の動作では筒体を旨く回転させることができない遊戯者であっても、上述したような自身回転したり揺動したりするといった遊戯を楽しむことができる。【００１８】
また、この場合において、前記回転駆動機構が筒体を一方向に回転させるように構成されている場合には、上記と同様の理由から、上記ブラシ体やカバー体により、少なくとも支持ローラ、ローラ支持体及び回転駆動機構をその外方から覆うようにすると良い。【００１９】
一方、前記回転駆動機構が筒体を正逆方向に往復回転させるように構成されている場合には、可撓性及び気密性を有する袋状且つチューブ状の部材から構成され、内部に気体が充填された複数のチューブ部材と、該チューブ部材を並列に連設させた状態で各チューブ部材に連結される帯状の部材とからなるカバー体を、前記筒体の前記中心軸線を挟んでその両側に、前記チューブ部材が前記中心軸線と平行になるようにそれぞれ配設し、少なくとも前記支持ローラ、ローラ支持体及び回転駆動機構を外方から覆うように、前記帯状部材の上端縁を前記筒体の外周面に固着し、下端縁を前記設置面に固着した構成にすると良い。【００２０】
上記のように各カバー体を構成するチューブ部材は帯状部材に連結されており、この帯状部材の上端縁と下端縁とが離れる方向に筒体が回転する際には、当該帯状部材が張られた状態となり、一方、上端縁と下端縁とが近づく方向に筒体が回転する際には、当該帯状部材が弛んだ状態となり、いずれの状態においても、前記支持ローラ、ローラ支持体及び回転駆動機構は、この帯状部材とチューブ部材とから構成されるカバー体によって覆われた状態が維持される。【００２１】
斯くして、遊戯者が前記支持ローラ、ローラ支持体及び回転駆動機構と接触するのが前記カバー体によって阻止され、これにより、遊戯者がこれら支持ローラ、ローラ支持体及び回転駆動機構と接触することによって怪我をするのが防止される。また、チューブ部材は、気体が充填されることによって弾力性を有しており、仮に、このチューブ部材に遊戯者が衝突することがあったとしても、当該遊戯者が怪我をすることはない。【００２２】
尚、上記のチューブ部材を用いたカバー構造において、チューブ部材が気密性を有することは必須の構成ではなく、気密性を有しないものであっても何らかまわないが、気密性を有しない場合には、適宜加圧気体供給手段により、チューブ内に常時加圧気体を供給するのが好ましい。
【発明の効果】
【００２３】
以上説明したように、本発明に係る遊戯装置は、構造が簡易でしかも安価であり、これをショッピングセンタ等の各種集客施設内に設置することが可能である。そして、遊戯者は、筒体が回転することによって自身回転したり揺動したりするといった遊戯を楽しむことができる。【００２４】
また、支持ローラ，ローラ支持体や回転駆動機構をカバー体によって覆い隠すようにすれば、遊戯者がこれら可動部分と接触するのを防止することができ、遊戯者がこれらによって怪我をするのを防止することができる。
【図面の簡単な説明】
【００２５】
【図１】図１は、本発明の一実施形態に係る遊戯装置を示した斜視図である。
【図２】図２は、図１における矢視Ｃ−Ｃ方向の断面図である。
【図３】図３は、他の実施形態に係る遊戯装置であって、カバー体を備えた遊戯装置を示す斜視図である。
【図４】図４は、図３における矢視Ｃ−Ｃ方向の断面図である。
【図５】図５は、他の形態に係る回転駆動機構を備えた遊戯装置を示す斜視図である。
【図６】図６は、他の形態に係る筒体を備えた遊戯装置を示す斜視図である。
【図７】図７は、本発明の他の実施形態に係る遊戯装置を示した斜視図である。
【図８】図８は、図７における矢視Ｄ方向の側面図である。
【符号の説明】
【００２６】
１    遊戯装置
２    筒体
３    支持機構
４    支持ローラ
５    ブラケット
６    回転駆動機構
７    シリンダ
８    ブラケット
９    ブラケット
１０  カバー体
１１  チューブ部材
１２  帯状部材
１５  回転駆動機構
１６  ラック
１７  ピニオンギヤ
１８  駆動モータ
３０  遊戯装置
３１  筒体
３５  支持ローラ
３６  ブラケット
３７  フレーム
４０  回転駆動機構
４５  ブラシ体
５５  カバー体
【発明を実施するための最良の形態】
【００２７】
以下、本発明を実施するための最良の形態について説明する。図１は、本発明の一実施形態に係る遊戯装置を示した斜視図であり、図２は、図１における矢視Ｃ−Ｃ方向の断面図である。【００２８】
図１及び図２に示すように、本例の遊戯装置１は、両端部が開口した中空円筒状の部材からなる筒体２と、この筒体２の外周面に当接してこれをその中心軸線回りに回転自在に支持する４つの支持機構３と、筒体２をその中心軸線回りに回転させる回転駆動機構６とから構成される。【００２９】
前記各支持機構３は、筒体２の外周面に当接して支持する支持ローラ４と、この支持ローラ４を回転自在に支持するブラケット（ローラ支持体）５とから構成されるもので、筒体２の中心軸線を挟んでその両側に、これに沿ってそれぞれ２つずつ配設されている。また、各ブラケット５は適宜床面Ｇ上に固設されている。【００３０】
前記回転駆動機構６は、筒体２の外周面に固設される連結ブラケット８と、ピストンロッド７ａの先端部が前記連結ブラケット８に揺動自在に連結されるシリンダ７と、前記床面Ｇ上に固設され、前記シリンダ７の基端部が揺動自在に連結されるブラケット９とから構成され、前記筒体２の中心軸に沿って配設される支持機構３，３間において、前記筒体２の下方に配設される。また、シリンダ７には図示しない加圧流体供給部から加圧された流体が適宜供給される。【００３１】
斯くして、前記加圧流体供給部（図示せず）からシリンダ７に加圧流体が供給されて、そのピストンロッド７ａが伸長すると、図２に示すように、筒体２が矢示Ａ方向に回転し、逆にピストンロッド７ａが後退すると、筒体２が矢示Ｂ方向に回転するというように、筒体２は、シリンダ７の作動によって矢示Ａ−Ｂ方向に往復回転せしめられる。【００３２】
以上の構成を備えた本例の遊戯装置１によれば、まず、回転駆動機構６によって筒体２が矢示Ａ−Ｂ方向に継続的に往復回転せしめられる。このようにして筒体２を自動的に往復回転せしめると、遊戯者たる幼児Ｙにとっては、筒体２が自然に回転しているように見えて興味が引かれ、自然と筒体２内に入ったり、筒体２の上に乗り上がったりして遊ぶようになる。【００３３】
そして、遊戯者Ｙは、筒体２内に入ったり、筒体２の上に乗り上がったりすることで、筒体２の往復回転によって自身揺動するといった遊戯を楽しむことができ、筒体２の上に乗り上がって遊ぶ場合には、馬乗りに似た感覚を味わうことができる。【００３４】
尚、幼児Ｙの興味をより強く引くには、動物や適宜キャラクタなどを模った縫い包みなどを筒体２内やその上に配置して、あたかも動物やキャラクタなどが当該筒体２で遊んでいるように見せると良い。そして、このようにすれば、遊戯者Ｙは、当該筒体２で遊ぶ際に、縫い包みと一緒に遊んでいるような気分を味わうこともできる。【００３５】
また、前記筒体２は、これを透明な部材、或いは不透明な部材のいずれから構成しても良いが、透明な部材から構成すると、自身が揺動することで周りの景色が揺動して見え、面白さが増したものとなる。【００３６】
以上のように構成された遊戯装置１は、構造が簡易でしかも安価であり、ショッピングセンタ等の各種集客施設内に設置可能である。【００３７】
以上、本発明の実施の形態について説明したが、本発明の採り得る具体的な態様は、何らこれに限定されるものではない。【００３８】
例えば、上記の遊戯装置１において、図３及び図４に示すように、前記筒体２の中心軸線を挟んでその両側に、前記支持機構３及び回転駆動機構６をその外方から覆うカバー体１０をそれぞれ設けても良い。【００３９】
このカバー体１０は、可撓性及び気密性を有する袋状且つチューブ状の部材から構成され、内部に気体が充填された複数のチューブ部材１１と、このチューブ部材１１を並列に連設させた状態で各チューブ部材１１に連結される帯状の部材１２とから構成される。そして、チューブ部材１１は前記筒体２の中心軸線と平行になるように配設され、帯状部材１２はその上端縁が筒体２の外周面に固着され、下端縁が前記床面Ｇ上に固着される。【００４０】
このように構成されたカバー体１０は、筒体２が矢示Ｂ方向に回転すると、図４に示すように、その左側のカバー体１０については、帯状部材１２の上端縁と下端縁とが近づいて当該帯状部材１２が外側に弛んだ状態となり、一方、右側のカバー体１０については、上端縁と下端縁とが相互に離れて帯状部材１２が張られた状態となり、逆に筒体２が矢示Ａ方向に回転すると、左右の各カバー体１０は上記とは反対の状態となり、いずれの状態においても、前記支持機構３及び回転駆動機構６は、各カバー体１０によって覆われた状態が維持される。【００４１】
支持機構３や回転駆動機構６を剥き出しの状態にしておくと、これら支持機構３や回転駆動機構６に遊戯者Ｙが接触したり、支持ローラ４と筒体２との接触部に手などを挟まれることにより、遊戯者Ｙが怪我をするといったことが懸念され、特に、大勢が集まる場所では、このような事故が起こり易い。【００４２】
可撓性及び気密性を有し、袋状且つチューブ状に形成され、内部に気体が充填されたチューブ部材１１は、それ自体弾力性を有しており、このチューブ部材１１から構成されるカバー体１０で前記支持機構３及び回転駆動機構６を覆うことによって、これら支持機構３や回転駆動機構６に遊戯者Ｙが接触したり、或いは、支持ローラ４と筒体２との接触部に手などを挟まれるのを防止することができ、また、仮に、カバー体１０に遊戯者Ｙが衝突することがあったとしても、遊戯者Ｙが怪我をすることはない。【００４３】
尚、このカバー体１０において、チューブ部材１１が気密性を有することは必須の構成ではなく、気密性を有しないものであっても何らかまわないが、気密性を有しない場合には、適宜加圧気体供給手段により、チューブ内に常時加圧気体を供給するのが好ましい。【００４４】
また、遊戯者Ｙの怪我を未然に防ぐという意味で、ウレタンスポンジをビニルシートで被覆したクッション材を床面Ｇ上に敷設したり、同様のクッション材を筒体２の内面に付設しても良い。【００４５】
また、上記の例では、シリンダ７からなる回転駆動機構６によって筒体２を回転させるようにしたが、この構成に限られるものではなく、例えば、図５に示すような構造の回転駆動機構１５によって、筒体２を駆動するようにしても良い。【００４６】
この回転駆動機構１５は、筒体２の外周にこれに沿って固設された円弧状のラック１６と、このラック１６に噛合するピニオンギヤ１７と、ピニオンギヤ１７を回転させる駆動モータ１８とからなる。【００４７】
また、筒体２についても、その両端が開口したものに限られるものではなく、図６に示すように、両端が閉じられたカプセル状のものとしても良い。この場合、開閉可能な扉２１を設け、遊戯者Ｙをこの扉２１から内部空間内に出入りさせるようにすると良い。【００４８】
また、上例の遊戯装置１では、筒体２を矢示Ａ−Ｂ方向に往復回転させるように構成したが、これに限られるものではなく筒体２を矢示Ａ方向若しくはＢ方向の一方向に回転させる構造のものであっても良い。かかる構造の遊戯装置の一例を図７及び図８に示す。【００４９】
同図７及び図８に示すように、この遊戯装置３０は、適宜床面上に配設される基台５０と、この基台５０上に所定間隔をあけて並設されるＣ字形状をした２つのフレーム３７，３７と、このフレーム３７の両上端部付近にそれぞれブラケット３６を介して回転自在に支持される支持ローラ３５と、この支持ローラ３５上に載置される筒体３１と、この筒体３１の中心軸線方向両端部の外周面にそれぞれ当接してこれを前記中心軸線回りに回転させる２つの回転駆動機構４０と、前記支持ローラより上方に位置するように前記フレーム３７の上端面に固設されるブラシ体４５と、前記基台５０，フレーム３７，ブラケット３６，支持ローラ３５，筒体３１，回転駆動機構４０及びブラシ体４５を外方から覆うカバー体５５とから構成される。【００５０】
前記筒体３１はその両端部が開口した中空且つ円筒状をした部材からなり、弾性を有する環状のラバー３２が、当該筒体３１の中心軸線方向の両端部外周面にそれぞれ巻着されている。そして、このラバー３２に当接するように、前記各支持ローラ３５が配設される。【００５１】
前記回転駆動機構４０は、前記筒体３１の下方に配設され、前記ラバー３２に当接して前記筒体３１を支持するように設けられた駆動ローラ４１と、この駆動ローラ４１をその中心軸線回りに回転させる駆動モータ４２とから構成され、駆動モータ４２の回転動力を駆動ローラ４１を介し筒体３１に伝達して、これを中心軸線回りに回転させる。【００５２】
前記ブラシ体４５は、前記筒体３１の中心軸線を挟んでその両側に設けられ、各ブラシ体４５はその毛部分４６が筒体３１の外周面に当接するように前記フレーム３７の上端面に固設される。【００５３】
前記カバー体５５は、前記筒体３１の中心軸線方向その両側及び中心軸線を挟んだその両側の４方向から前記基台５０，フレーム３７，ブラケット３６，支持ローラ３５，筒体３１，回転駆動機構４０及びブラシ体４５を覆うように設けられ、このカバー体５５、筒体３１及びブラシ体４５によって囲まれる閉塞空間内に前記基台５０，フレーム３７，ブラケット３６及び支持ローラ３５が配置される。また、前記筒体３１の中心軸線方向の前後に設けられたカバー体５５には、筒体３１の開口部に対応した部分が切り欠かれており、遊戯者Ｙが筒体３１内に容易に出入りすることができるようになっている。【００５４】
以上の構成を備えた遊戯装置３０では、まず、回転駆動機構４０により、筒体３１がその中心軸線回りに一方向に回転せしめられる。そして、このようにして回転する筒体３１内に入り込んだり、或いは、筒体３１上に乗り上がったりすることで、遊戯者Ｙは自身筒体３１と共に回転する遊戯を行うことができる。【００５５】
また、この例の遊戯装置３０においても、基台５０やフレーム３７，ブラケット３６，支持ローラ３５などをカバー体５５によってカバーしているので、遊戯者Ｙがこれらと接触したり、或いは、支持ローラ３５と筒体３１との接触部に手などを挟まれるなどして怪我をするのを防止することができる。【００５６】
尚、このカバー体５５の材質や構造は特に限定されるものではないが、ウレタンスポンジをビニルシートで被覆したクッション材でこれを構成したり、可撓性を有する袋状且つ気密状の部材に気体を充填したものから構成したり、或いは、この袋状の部材に加圧気体供給手段から加圧した気体を供給するように構成したものとすることができる。このようにすれば、カバー体自体に弾力性が付与されるので、仮に、このカバー体に遊戯者Ｙが衝突するようなことがあったとしても、当該遊戯者Ｙが怪我をすることはない。【００５７】
また、この遊戯装置３０において、前記回転駆動機構４０を省いた構成とすることもできる。この場合、筒体３１は、単に、支持ローラ３５によってその中心軸線回りに回転自在に支持された構造となる。したがって、遊戯者Ｙは、筒体３１内に入り込み、当該筒体３１内でその内壁を伝い登るなどして体を移動させると、筒体３１内における遊戯者Ｙの重心位置が変化し、この重心変化によって筒体３１が前記中心軸線回りに回転し、遊戯者は、かかる筒体３１の回転によって自身回転したり揺動したりするといった遊戯を楽しむことができる。
【産業上の利用可能性】
【００５８】
以上詳述したように、本発明に係る遊戯装置は、構造が簡易でしかも安価であり、これをショッピングセンタ等の各種集客施設内に設置することが可能である。
【図１】
0004667382.tif 000002
【図２】
0004667382.tif 000003
【図３】
0004667382.tif 000004
【図４】
0004667382.tif 000005
【図５】
0004667382.tif 000006
【図６】
0004667382.tif 000007
【図７】
0004667382.tif 000008
【図８】
0004667382.tif 000009